(57)【要約】【課題】使い捨てできるように安い費用で形成でき、且つ、着脱が容易な顔カバーを提供する。【解決手段】本考案の止着部付き顔カバーは、可撓性を有しかつ透視可能な一枚のシートから形成される顔カバーであって、頭部背面の頭部被覆部と、頭部前面の顔部分を覆う顔被覆部と、顔被覆部から延長されて首の下方に至る前垂れ部と、前垂れ部の左右両側に切込みを入れて短冊状に形成した締結部とを備え、左右の締結部を結ぶことで頭部に止着できるようにした。また、頭部背面の頭部被覆部および頭部前面の顔部分を覆う顔被覆部を備えて袋状に形成した顔カバーに紐状の締結部材を取り付けることにより、頭部に止着できるようにすること、もしくは、顔被覆部から首の下方まで垂下させて前垂れ部を形成し、前垂れ部の左右両側に紐状の締結部材を取り付けた。【選択図】図１
0003105047.tif 000002
【実用新案登録請求の範囲】
【請求項１】
可撓性を有しかつ透視可能な一枚のシートから形成される顔カバーであって、頭部背面の頭部被覆部と、頭部前面の顔部分を覆う顔被覆部と、前記顔被覆部から延長して形成した前垂れ部と、前記前垂れ部の左右両側に切込みを入れて短冊状に形成した締結部とを備え、左右の前記締結部を結ぶことで頭部に止着できるようにしたことを特徴とする止着部付き顔カバー。
【請求項２】
頭部背面の頭部被覆部および頭部前面の顔部分を覆う顔被覆部を備えて袋状に形成した顔カバーと、前記顔被覆部から垂下させて形成した前垂れ部と、前記前垂れ部に取付けた紐状の締結部材とを備え、前記締結部材で頭部に止着できるようにしたことを特徴とする止着部付き顔カバー。
【請求項３】
前記締結部材は、前記前垂れ部の左右両側に取付けられ、前記前垂れ部の下縁より下方に垂れ下げて設けられていることを特徴とする請求項２に記載の止着部付き顔カバー。
【請求項４】
前記締結部材は、前記前垂れ部の左右両側に取付けられ、前記前垂れ部の側縁より左右方向に長くなるようにして設けられていることを特徴とする請求項２に記載の止着部付き顔カバー。
【考案の詳細な説明】
【技術分野】
【０００１】
衣料品を頭から被って試着する際に、化粧品や頭髪が衣料品に直接触れて汚染されることを防止する顔カバーに関する。
【背景技術】
【０００２】
主に、衣料品販売店において、商品である衣料品を試着する際に、その衣料品が頭から被るタイプの例えば、セーターやＴシャツのようなものであった場合、化粧品や毛髪が試着された衣料品に付着してしまうようなことがある。このような場合には、販売店のイメージが低下するばかりか、衣料品の商品価値を減じるものとなり販売店の損失となる。このような損失を防ぐものとして、実用新案登録第３０３７９８６号公報には、フェースカバーが開示されている。このフェースカバーは、通気性および透視性を有するシート状物からなる頭巾状のものであり、衛生的で、着用し易く、かつ、安価に提供できることが開示されている。このフェースカバーは、頭部を覆うキャップ部と、顔面を覆う覆面部とを備え、二枚重ねに重ねられたシート状物の両側端部が全面的に接合されていること、もしくは、キャップ部が上方部分のみが接合されて頭部を覆うと共に、キャップ部に接続しているシート状物の部位の一つが覆面部を形成していることが開示されている。また、実用新案登録第３０６０６４４号公報には、セーター着脱用顔カバーが開示されている。このセーター着脱用顔カバーは、筒状の布の両端をゴムで伸縮するようにしたものであり、筒状に縫った顔カバーと、上部ゴム部と、下部ゴム部と、下部たくしこみ部分と、を備えている。これにより、特に、伸縮性の強いタートルネックのセーターの着脱時であっても、セーター着脱と同時にカバーも脱げて、セーターに化粧品等が付着することがなくなるものである。
【特許文献１】実用新案登録第３０３７９８６号公報
【特許文献２】実用新案登録第３０６０６４４号公報
【考案の開示】
【考案が解決しようとする課題】
【０００３】
背景技術で述べた顔カバー（フェースカバー）においては、衣服の着脱時に衣服と共にカバーが外れてしまい、衣服の下方部分に化粧品や毛髪を付けてしまう恐れがあった。また、筒状の布の両端をゴムで伸縮するようにした場合には、形成する際の費用が嵩むものとなり、使い捨ての顔カバーには不向きであった。
本考案は、このような問題点に鑑みてなされたものであり、使い捨てできるように安い費用で形成でき、且つ、着脱が容易な顔カバーを提供することである。
【課題を解決するための手段】
【０００４】
本考案の止着部付き顔カバーは、可撓性を有しかつ透視可能な一枚のシートから形成される顔カバーであって、頭部背面の頭部被覆部と、頭部前面の顔部分を覆う顔被覆部と、前記顔被覆部から延長して形成した前垂れ部と、前記前垂れ部の左右両側に切込みを入れて短冊状に形成した締結部とを備え、左右の前記締結部を結ぶことで頭部に止着できるようにしたことを特徴とする。
本考案の止着部付き顔カバーは、頭部背面の頭部被覆部および頭部前面の顔部分を覆う顔被覆部を備えて袋状に形成した顔カバーと、前記顔被覆部から垂下させて形成した前垂れ部と、前記前垂れ部に取付けた紐状の締結部材とを備え、前記締結部材で頭部に止着できるようにしたことを特徴とする。このような前記締結部材は、前記前垂れ部の左右両側に取付けられ、前記前垂れ部の下縁より下方に垂れ下げて設けられていること、もしくは、前記前垂れ部の側縁より左右方向に長くなるようにして設けられていることを特徴とする。
【考案の効果】
【０００５】
一枚のシートから製造される止着部付き顔カバーは、製造工程が少なく製造コストが節約できる。短冊状の締結部は、これを例えば顎の下で結ぶだけで、確実かつ容易に顔カバーが止着できる。止着の際には前垂れ部を巻き込んで、前垂れ部の上から締結部で結ぶのがよく、これにより、衣服（試着品）を脱ぐ際であっても、前垂れ部が確実に顔面を覆った状態にする。
締結部材を、別体として、前垂れ部に取付けるようにした場合には、締結部材の長さが、前垂れ部の長さより長くすること、もしくは、素材等が任意に選択できるものとなる。このような締結部材は、前垂れ部の左右両側で、且つ、前垂れ部の下縁に取付けることにより、顎の下で結べる他、頭部に巻き回して結ぶことができるものとなる。また、締結部材を前垂れ部の左右両側で、且つ、前垂れ部の側縁に取付けた場合には、頭部に巻き回し易いものとなる。
尚、前垂れ部は、例えば、頭髪の厚み等の理由により、顔面が顔被覆部で覆い切れなかった場合でも、これを補い、より確実に顔面を覆うものとなる。
【考案を実施するための最良の形態】
【０００６】
安価で使い捨て可能なものとする為に、顔カバーを合成樹脂製シートもしくはパルプから形成される一枚のシートで形成した。また、着脱が確実で容易なものとするために、短冊状の締結部を左右に設けて形成し、左右の締結部を顎の下で結ぶことで、顔カバーが止着できるようにした。
【実施例１】
【０００７】
図１は、本考案の止着部付き顔カバーの展開図であり、図２は、その止着部付き顔カバーの正面を示した説明図である。また、図３は、止着部付き顔カバーの背面を立体的に示した説明図であり、図４は、止着部付き顔カバーの使用状態を示した正面の説明図である。図１に示すように、止着部付き顔カバー１０は、一枚のシートの略３分割部分の上方を頭部被覆部１とすると共に、中間部を顔被覆部２とし、下方が前垂れ部３として構成され、且つ、前垂れ部３の左右両側が下縁より上方に切断（切込み６）されて締結部４が形成されている。
【０００８】
止着部付き顔カバー１０は、図１に示したシートを用い、これを折り曲げ線５（図中、破線で示す）で折り曲げると共に、頭部被覆部１を顔被覆部２に重ね合わせ、その左右において、端部１ａと２ａとをそれぞれ熱融着等にて接着することで形成される。図２及び図３は、上述したようにして形成された止着部付き顔カバー１０を示したものである。この図２及び図３に示すように、接着部７が設けられることにより、止着部付き顔カバー１０の上半分には袋状部９が形成される。これにより、袋状部９の挿入される頭部は、顔面が顔被覆部２で覆われ、後頭部が頭部被覆部１に覆われる。尚、前垂れ部３は顔被覆部２から延長されて首の下方に至る長さで形成され、締結部４は前垂れ部３の両側で短冊状に形成される。
【０００９】
図４は、止着部付き顔カバーの使用状態を示すものである。この図４に示すように、止着部付き顔カバー１０は、顔被覆部２から延長されて前垂れ部３が首の下方まで充分に覆うことができるように形成されている。また、前垂れ部３の両側には、締結部４が短冊状に形成され、これを利用して、顎の下（もしくは後頭部）で結ぶことにより、止着部付き顔カバー１０が頭部に止着できるものである。このように、顔カバー１０を頭部に止着する際には、図４のように前垂れ部３を内側に巻き込んで結ぶようにするのがよい。これにより、セーターやＴシャツ等の被ることにより試着される衣服が、試着の際に脱げることがなくなる。即ち、顔面が商品に触れて商品である衣服を汚すことがなくなる。
【実施例２】
【００１０】
図５の（ａ）及び（ｂ）は、本考案の実施例２における止着部付き顔カバーの正面を示した説明図である。図５（ａ）に示した止着部付き顔カバー１０は、前垂れ部３の左右の下縁で下方に向けて締結部材４ａを取り付けたものである。これにより、締結部材４ａが長くでき、例えば、後頭部で結ぶこともできるものとなる。尚、このような締結部材４ａの取り付け方向は、特に、限定されるものではなく、図５（ｂ）に示すように左右方向に向けて取り付けた場合には、さらに後頭部で結び易いものとなる。
【００１１】
以下、止着部付き顔カバー１０が、実際に使用される状況を説明する。この止着部付き顔カバー１０が使用されるのは、主に、衣料品販売店の試着室内である。顧客は、セーターやＴシャツを試着する際に、マナーとして、もしくは、店の販売員の指導により、備え付けの止着部付き顔カバー１０を被り、商品を試着する。試着した商品を鏡で見るために、顧客は、一度、顔カバー１０を脱ぐ。顧客は、その商品を購入するかもしくは購入しない場合でも、再度、顔カバー１０を被り、顔カバー１０が脱げないように締結部４で結び頭部に止める。この際、新たな、顔カバー１０を利用することも有り得る。
【００１２】
因みに、止着部付き顔カバー１０は、例えば、頭髪の厚み等の理由により、顔被覆部２で顔面８が覆い切れなかった場合でも、前垂れ部３がこれを補うように顔面８を覆うものとなる。尚、シートの素材は、肌触りの良い素材であれば、特に、その素材が限定されることはないが、人体の顔面に接触するものであるので、衛生的、透視可能、通気性等の各機能を備えているのが良い。
【図面の簡単な説明】
【００１３】
【図１】本考案の止着部付き顔カバーの展開図である。
【図２】止着部付き顔カバーの正面を示した説明図である。
【図３】止着部付き顔カバーの背面を立体的に示した説明図である。
【図４】止着部付き顔カバーの使用状態を示した正面の説明図である。
【図５】（ａ）は下方向に、（ｂ）は左右方向にそれぞれ締結部材を取付けたことを示す止着部付き顔カバーの説明図である。
【符号の説明】
【００１４】
１  頭部被覆部
２  顔被覆部
３  前垂れ部
４  締結部
４ａ  締結部材
５  折り曲げ線
６  切込み
７  接着部
８  顔面
９  袋状部
１０  止着部付き顔カバー
【図１】
0003105047.tif 000003
【図２】
0003105047.tif 000004
【図３】
0003105047.tif 000005
【図４】
0003105047.tif 000006
【図５】
0003105047.tif 000007